(57)【特許請求の範囲】
【請求項１】
建物のドア開口部に枠体を取付け、該枠体内にパネル状のドア本体を開閉自在に納めてなるドアにおいて、
前記ドア本体の戸先側には縦辺に沿って硬質材からなる戸先部材が設けられ、該戸先部材は前記ドア本体が閉じた際に前記枠体に対して室外側から当接または近接し、前記ドア本体の下端面と室外側面とでなす室外角部は、軟質材からなる室外緩衝部により長手方向に沿って被覆され、
前記戸先部材の下端部には戸先下端キャップが設けられ、該戸先下端キャップは前記室外緩衝部の戸先側端部を被覆して前記戸先部材の位置まで延長する下辺側被覆部を有してなり、
前記戸先部材は下端位置が前記ドア本体の下端面より上方にあり、前記戸先下端キャップは前記戸先部材の下端部を被覆して前記ドア本体の下端位置まで延長する戸先下端延長部を有してなることを特徴とするドア。
【請求項２】
建物のドア開口部に枠体を取付け、該枠体内にパネル状のドア本体を開閉自在に納めてなるドアにおいて、
前記ドア本体の戸先側には縦辺に沿って硬質材からなる戸先部材が設けられ、該戸先部材は前記ドア本体が閉じた際に前記枠体に対して室外側から当接または近接し、前記ドア本体の下端面と室外側面とでなす室外角部は、軟質材からなる室外緩衝部により長手方向に沿って被覆され、
前記戸先部材の下端部には戸先下端キャップが設けられ、該戸先下端キャップは前記室外緩衝部の戸先側端部を被覆して前記戸先部材の位置まで延長する下辺側被覆部を有してなり、
前記戸先下端キャップは前記ドア本体下端面の戸先側端部を被覆する下端面被覆部を有し、該下端面被覆部の室外端部には、前記ドア本体の室外側面に沿うように立ち上がる室外立ち上がり面が形成され、前記下端面被覆部の室内端部には、前記ドア本体の室内側面に沿うように立ち上がる室内立ち上がり面が形成されることを特徴とするドア。
【発明の詳細な説明】
【技術分野】
【０００１】
本発明は、建物開口部に設けられるドア本体に設けられて戸先下端部を保護する下端樹脂部品を備えたドアに関し、特に意匠性に配慮すると共にドア本体の戸先下端の衝突負荷を小さくしたドアに関する。
【背景技術】
【０００２】
建物の玄関や部屋の入口に設置されるドアは、パネル状に形成されてなるドア本体からなり、このドア本体が開口部に対し開閉自在に取付けられる。ドア本体の下辺には、ドア本体の開閉に伴って足や物などが挟まれないよう、緩衝材が設けられる。ドア本体は、室内側から室外側に向かって開くため、緩衝材は、ドア本体下辺の角部のうち、室外側の角部に設けられる。
【０００３】
ドア本体の戸先室外端部には、枠体を構成する縦枠に対して室外側から当接あるいは近接する戸先部材が、長手方向に沿って設けられる。戸先部材は、縦枠に室外側から当接あるいは近接するために、ドア本体から室外側に向かって段差状をなすように形成される。また、戸先部材の下端部には、樹脂製の下端キャップが設けられる。緩衝材は、ドア本体の下辺略全長に渡って設けられるが、戸先側の端部においては、段差状をなす戸先部材の室外側面に略沿う下端キャップを覆うように、緩衝材が段差に乗り上げる形状を有していて、戸先部材の下端部を保護するようにしていた。このようなドアとしては、例えば特許文献１に挙げるようなものがある。
【先行技術文献】
【特許文献】
【０００４】
【特許文献１】特許第４８１８２１７号公報
【発明の概要】
【発明が解決しようとする課題】
【０００５】
緩衝材は軟質のゴムスポンジ等によって構成されており、これを段差状に形成すると、戸先部材の下端部の形状が大型化し、意匠性を悪化させるという問題があった。また、戸先部材はドア本体の室外面より室外側に突出しているから、安全性の観点からは下端部が軟質の部材で構成されていることが望ましいが、戸先部材の下端部に設けられる下端キャップは、硬質の部材で形成されていた。
【０００６】
本発明は前記課題を鑑みてなされたものであり、戸先部材下端部の意匠性が良好でかつ軟質の部材で構成することのできるドアを提供することを目的とする。
【課題を解決するための手段】
【０００７】
前記課題を解決するため、本発明に係るドアは、建物のドア開口部に枠体を取付け、該枠体内にパネル状のドア本体を開閉自在に納めてなるドアにおいて、
前記ドア本体の戸先側には縦辺に沿って硬質材からなる戸先部材が設けられ、該戸先部材は前記ドア本体が閉じた際に前記枠体に対して室外側から当接または近接し、前記ドア本体の下端面と室外側面とでなす室外角部は、軟質材からなる室外緩衝部により長手方向に沿って被覆され、
前記戸先部材の下端部には戸先下端キャップが設けられ、該戸先下端キャップは前記室外緩衝部の戸先側端部を被覆して前記戸先部材の位置まで延長する下辺側被覆部を有してなり、
前記戸先部材は下端位置が前記ドア本体の下端面より上方にあり、前記戸先下端キャップは前記戸先部材の下端部を被覆して前記ドア本体の下端位置まで延長する戸先下端延長部を有してなることを特徴として構成されている。
【０００８】
また、本発明に係るドアは、建物のドア開口部に枠体を取付け、該枠体内にパネル状のドア本体を開閉自在に納めてなるドアにおいて、
前記ドア本体の戸先側には縦辺に沿って硬質材からなる戸先部材が設けられ、該戸先部材は前記ドア本体が閉じた際に前記枠体に対して室外側から当接または近接し、前記ドア本体の下端面と室外側面とでなす室外角部は、軟質材からなる室外緩衝部により長手方向に沿って被覆され、
前記戸先部材の下端部には戸先下端キャップが設けられ、該戸先下端キャップは前記室外緩衝部の戸先側端部を被覆して前記戸先部材の位置まで延長する下辺側被覆部を有してなり、
前記戸先下端キャップは前記ドア本体下端面の戸先側端部を被覆する下端面被覆部を有し、該下端面被覆部の室外端部には、前記ドア本体の室外側面に沿うように立ち上がる室外立ち上がり面が形成され、前記下端面被覆部の室内端部には、前記ドア本体の室内側面に沿うように立ち上がる室内立ち上がり面が形成されることを特徴として構成されている。
【発明の効果】
【００１０】
本発明に係るドアによれば、戸先部材の下端部に戸先下端キャップを設け、戸先下端キャップは室外緩衝部の戸先側端部を被覆して戸先部材の位置まで延長する下辺側被覆部を有してなることにより、室外緩衝部を戸先部材の位置まで形成する必要がなく、室外緩衝部から戸先部材までを連続した外観とすることができるため、ドア本体の意匠性を高くすることができる。
【００１１】
また、本発明に係るドアによれば、戸先部材は下端位置がドア本体の下端面より上方にあり、戸先下端キャップは戸先部材の下端部を被覆してドア本体の下端位置まで延長する戸先下端延長部を有してなることにより、ドア本体の戸先側下端部を軟質として安全性のさらなる向上を図ることができる。
【００１２】
さらに、本発明に係るドアによれば、戸先下端キャップの端面被覆部の室外端部には、ドア本体の室外側面に沿うように立ち上がる室外立ち上がり面が形成され、下端面被覆部の室内端部には、ドア本体の室内側面に沿うように立ち上がる室内立ち上がり面が形成されることにより、ドア本体の戸先側下端部の角部を隠して意匠性を向上させることができると共に、この凹形状によってドア本体を保持することとなっているから、戸先下端キャップの位置ずれを防止することができる。
【図面の簡単な説明】
【００１３】
【図１】本実施形態におけるドアの正面図である。
【図２】ドアの縦断面図である。
【図３】ドアの横断面図である。
【図４】ドア下辺の拡大断面図である。
【図５】ドア本体の戸先側下端部付近を室外側上方から見た拡大斜視図である。
【図６】戸先下端キャップの斜視図である。
【図７】図６の反対側から見た戸先下端キャップの斜視図である。
【図８】図６及び図７と異なる方向から見た戸先下端キャップの斜視図である。
【図９】戸先下端キャップを取り外したドア本体２の戸先側下端部付近を室外側上方から見た拡大斜視図である。
【図１０】ドア本体の戸先側下端部付近を室内側下方から見た拡大斜視図である。
【発明を実施するための形態】
【００１４】
本発明の実施形態について図面に沿って詳細に説明する。図１には、本実施形態におけるドアの正面図を示している。図１はドアの外観図を示している。本実施形態のドアは、建物のドア開口部に取付けられる枠体１内にパネル状のドア本体２を開閉自在に納めてなるものである。
【００１５】
枠体１は、上枠１０と下枠１１及び左右の縦枠１２、１２を方形状に枠組みして構成されている。ドア本体２は、一方の側部中央部に開閉を行うためのハンドル３を備え、さらにその上下部にはそれぞれ錠部４が配置される。ドア本体２の下辺は、下枠１１との間に若干の隙間が設けられると共に、その長手方向に沿ってドア下端緩衝部材３０が設けられる。
【００１６】
図２にはドアの縦断面図を、図３にはドアの横断面図を、それぞれ示している。図３において、ドア本体２の左側が吊り元側であり、ドア本体３の右側が戸先側である。ドア本体２の吊り元側には、枠体１に対して回動自在となる回動軸部２ａが設けられており、ドア本体２の戸先側縦辺には、戸先部材２４が設けられている。戸先部材２４は硬質材、具体的にはアルミ材により形成されている。また、図２に示されているように、枠体１とドア本体２は、ドアクローザー５を介して連結されている。ドアクローザー５は、ドア本体２が閉じる際に抵抗力を発生し、ドア本体２が閉じるスピードを遅くすることができる。
【００１７】
ドア本体２は、パネル状に形成されているから、室外側面２０と室内側面２１、下端面２２及び上端面２３を有している。枠体１は、ドア本体２の室内側面２１の縁部に当接する気密材１３を、四周に渡って保持している。この気密材１３にドア本体２の室内側面２１が四周に渡って当接することにより、ドアの気密性が確保される。
【００１８】
図３に示すように、戸先部材２４は、ドア本体２の縦枠１２と対向する側面に当接する側面部２４ａと、ドア本体２の室外側面２０に当接する室外面部２４ｂと、側面部２４ａが室外側に延出されて室外面部２４ｂとの間で段差状をなす段部２４ｃと、段部２４ｃの室外端部から外周側に向かって伸びる対向面部２４ｄとを有して構成されている。対向面部２４ｄは、ドア本体２が閉じた状態において縦枠１２の室外側面と対向し、縦枠１２に設けられる気密材に当接する。なお、対向面部２４ｄは縦枠１２に直接当接するものであってもよい。
【００１９】
ドア本体２の下端部には、室外側面２０と下端面２２により室外角部２５が、室内側面２１と下端面２２により室内角部２６が、それぞれ形成されている。これらの室外角部２５及び室内角部２６を覆うように、ドア下端緩衝部材３０が取付けられている。
【００２０】
図４には、ドア下辺の拡大断面図を示している。下枠１１は、ドア本体２の下端面２２と対向する内周面部１１ａと、ドア本体２より室内側に形成される段部１１ｂとを有しており、段部１１ｂには室外側に向かって面する気密材１３が保持される。
【００２１】
ドア本体２の下辺に沿って設けられるドア下端緩衝部材３０は、ドア本体２の下端面２２に沿う形状を有した固定部３１と、固定部３１の室外端部に設けられる室外緩衝部３２と、固定部３１の室内端部に設けられる室内緩衝部３３とを有して構成されている。ドア下端緩衝部材３０を構成する固定部３１は、硬質の材料、具体的にはアルミの押出型材によって形成されている。一方、室外緩衝部３２と室内緩衝部３３は、固定部３１に対する固定部分以外は、軟質のゴムスポンジによって形成されている。室外緩衝部３２と室内緩衝部３３は、それぞれ固定部３１に対して嵌合固定される。
【００２２】
固定部３１は、ドア本体２の下端面２２に当接してネジ止め固定される。室外緩衝部３２は、下端構成部３２ａがドア本体２の下端面２２を覆い、室外構成部３２ｂがドア本体２の室外側面２０を覆うことで、ドア本体２の室外角部２５を長手方向に沿って覆っており、また、固定部３１の室外端面が外部に露出しないようにその全体を覆っている。
【００２３】
室内緩衝部３３は、室内構成部３３ｂが固定部３１の室内端面及びドア本体２の下端面２２室内端部を覆うことで、ドア本体２の室内角部２６を長手方向に沿って覆っている。室内緩衝部３３は、室外緩衝部３２よりも小さく形成されており、ドア本体２の室内側面２１までは伸びていない。これにより、ドア本体２の室内側面２１に凹凸が形成されず、下枠１１に保持されている気密材１３が確実にドア本体２の室内側面２１に当接し、気密性能を確保することができる。
【００２４】
図５には、ドア本体２の戸先側下端部付近を室外側上方から見た拡大斜視図を示している。この図に示すように、ドア本体２の戸先側下端部には、軟質材からなる戸先下端キャップ４０が取付けられている。戸先下端キャップ４０は、ドア本体２の側面下端部を被覆し、戸先部材２４の下方部分を構成すると共に、ドア本体２の室外側面下端部を被覆するように構成されている。
【００２５】
図６には戸先下端キャップ４０の斜視図を、図７には図６の反対側から見た戸先下端キャップ４０の斜視図を、図８には図６及び図７と異なる方向から見た戸先下端キャップ４０の斜視図を、それぞれ示している。戸先下端キャップ４０は、ドア本体２の側面に対して当接しネジ止め固定される側面被覆部４１と、戸先部材２４の下端位置より下方部分を構成する戸先下端延長部４２と、室外緩衝部３２の戸先側端部を被覆する下辺側被覆部４３と、ドア本体２の下端面２２を被覆する下端面被覆部４４とを有して一体的に形成されている。
【００２６】
図６に示すように、側面被覆部４１にはネジ孔４１ａが形成されていて、このネジ孔４１ａに挿通されるネジによって、戸先下端キャップ４０がドア本体２に対して固定される。戸先下端延長部４２は、戸先部材２４の下端部を納めることができるように、戸先部材２４よりも一回り大きい断面形状を有している。
【００２７】
図７に示すように、戸先下端延長部４２は、戸先部材２４の対向面部２４ｄを下端部まで延長する対向面構成部４２ａと、戸先部材２４の段部２４ｃを下端部まで延長する段構成部４２ｂと、戸先部材２４の室外面部２４ｂを下端部まで延長する室外面構成部４２ｃとを有し、さらに室外面構成部４２ｃとドア本体２の室外側面２０との間の隙間を塞ぐ端面構成部４２ｄが形成されていて、戸先部材２４を下方に延長する形状を有している。
【００２８】
図７に示すように、下辺側被覆部４３は、戸先下端延長部４２を構成する室外面構成部４２ｃの下部に形成されており、室外緩衝部３２のうちドア本体２の室外側面２０を覆う部分と略同じ断面形状を有している。これにより、下辺側被覆部４３は、室外緩衝部３２の戸先側端部を被覆すると共に、室外緩衝部３２を戸先下端延長部４２まで延長する。
【００２９】
図８に示すように、下端面被覆部４４は、側面被覆部４１と同じ幅を有してなり、その室内外両側にはそれぞれ室内立ち上がり面４４ｂと室外立ち上がり面４４ａとが形成されている。室外立ち上がり面４４ａは、そのまま戸先下端延長部４２の室外面構成部４２ｃと連続している。室外立ち上がり面４４ａと室内立ち上がり面４４ｂは、それぞれドア本体２の戸先側下端部における室外側面２０と室内側面２１を被覆する。
【００３０】
図９には、戸先下端キャップ４０を取り外したドア本体２の戸先側下端部付近を室外側上方から見た拡大斜視図を示している。この図に示すように、戸先部材２４の下端位置は、ドア本体２の下端位置よりも上方にあり、図５に示すように、戸先下端キャップ４０が戸先部材２４をドア本体２の下端まで延長する。さらに、戸先下端キャップ４０の戸先下端延長部４２は戸先部材２４の下端部を飲み込んで被覆するから、戸先部材２４のエッジを見えないようにして意匠性を高くすることができる。
【００３１】
また、室外緩衝部３２は、ドア本体２の室外角部２５のうち端部付近は被覆しておらず、図５に示すように、この部分を戸先下端キャップ４０が被覆して戸先下端延長部４２まで延長する。ここでも、戸先下端キャップ４０の下辺側被覆部４３は室外緩衝部３２の端部を被覆するから、室外緩衝部３２の小口面を隠して意匠性を高くすることができる。
【００３２】
このように、戸先下端キャップ４０に下辺側被覆部４３を設け、ドア本体２の戸先側下端部を被覆しつつ、ドア本体２の室外角部２５を被覆する室外緩衝部３２をドア本体２の端部、すなわち戸先部材２４の位置まで延長するように構成したことにより、室外緩衝部３２を戸先部材２４の位置まで形成する必要がなく、室外緩衝部３２から戸先部材２４までを連続した外観とすることができるため、ドア本体２の意匠性を高くすることができる。
【００３３】
また、本実施形態では、金属材からなる戸先部材２４をドア本体２の下端まで設けておらず、戸先部材２４の下端からドア本体２の下端までは、軟質材からなる戸先下端延長部４２によって構成している。これにより、ドア本体２の戸先側下端部を軟質として安全性のさらなる向上を図ることができる。
【００３４】
図１０には、ドア本体２の戸先側下端部付近を室内側下方から見た拡大斜視図を示している。この図に示すように、戸先下端キャップ４０の下端面被覆部４４は、ドア本体２の下端面２２を被覆し、室内立ち上がり面４４ｂはドア本体２の戸先側下端部の室内側面に当接している。また、室外立ち上がり面４４ａはドア本体２の戸先側下端部の室外側面に当接する。
【００３５】
このように、下端面被覆部４４の室内外両側の立ち上がり面が、それぞれドア本体２の室内外面に当接していることにより、ドア本体２の戸先側下端部の角部を隠して意匠性を向上させることができると共に、この凹形状によってドア本体２を保持することとなっているから、戸先下端キャップ４０の位置ずれを防止することができる。
【００３６】
以上、本発明の実施形態について説明したが、本発明の適用は本実施形態には限られず、その技術的思想の範囲内において様々に適用されうるものである。
【符号の説明】
【００３７】
１    枠体
２    ドア本体
１０    上枠
１１    下枠
１２    縦枠
２０    室外側面
２１    室内側面
２２    下端面
２４    戸先部材
２４ａ  側面部
２４ｂ  室外面部
２４ｃ  段部
２４ｄ  対向面部
２５    室外角部
２６    室内角部
３０    ドア下端緩衝部材
３１    固定部
３２    室外緩衝部
３３    室内緩衝部
４０    戸先下端キャップ
４１    側面被覆部
４２    戸先下端延長部
４２ａ  対向面構成部
４２ｂ  段構成部
４２ｃ  室外面構成部
４２ｄ  端面構成部
４３    下辺側被覆部
４４    下端面被覆部
４４ａ  室外立ち上がり面
４４ｂ  室内立ち上がり面
【図１】
0006010779.tif 000002
【図２】
0006010779.tif 000003
【図３】
0006010779.tif 000004
【図４】
0006010779.tif 000005
【図５】
0006010779.tif 000006
【図６】
0006010779.tif 000007
【図７】
0006010779.tif 000008
【図８】
0006010779.tif 000009
【図９】
0006010779.tif 000010
【図１０】
0006010779.tif 000011